(57)【特許請求の範囲】
【請求項１】
公衆網へのダイヤルアップ接続手段を有し、及び／または、ＬＡＮ（Local Area Network）との接続を行なうＬＡＮ接続手段を有し、インタネット等のコンピュータネットワークに接続することができるネットワークファクシミリ装置において、
前記コンピュータネットワークに接続されているサーバ装置内にあるＷＥＢページの所在を特定するＵＲＬ（Uniform Resource Locators）を任意に指定することができるＵＲＬ指定手段と、
人手により操作することができるリダイヤルキーを用いることにより、前回指定したＵＲＬを再度指定させることができるＵＲＬ再指定手段と、
前記ＵＲＬ再指定手段が再度指定したＵＲＬに基づくＷＥＢページのデータを、ダウンロードさせて、受信することができるＷＥＢページ制御手段と、
ダウンロードさせた前記ＷＥＢページのデータを解析させて、テキストデータ部分だけを抽出させることができるＷＥＢページデータ解析手段と、
抽出した前記テキストデータ部分をファクシミリ情報に変換させることができる復号化手段とを有することを特徴とするネットワークファクシミリ装置。
【発明の詳細な説明】
【０００１】
【発明の属する技術分野】
ファクシミリ情報を、ＬＡＮ，インタネット等のコンピュータネットワークを介して、送受信することができるネットワークファクシミリ装置と、該ネットワークファクシミリ装置におけるファクシミリ通信方法とに関する。
【０００２】
【従来の技術】
近年、インタネット等のコンピュータネットワークの急速な進展に伴い、コンピュータネットワークを介して、各種文書情報を電子メールとして送受信したり、あるいは、サーバ装置に蓄積されている情報を閲覧したり、逆に、サーバ装置に情報を登録したりする通信形態が広く普及してきている。
【０００３】
かかる電子メール利用の通信形態の一つとして、インタネット等のコンピュータネットワークに何らかの形態で接続されているファクシミリ装置においても、ファクシミリ情報を、たとえば、ＴＩＦＦ（Tagged  Image  File  Format）等に変換したＭＩＭＥ（Multipurpose  Internet  Message  Extensions）形式の文書情報として、ＳＭＴＰ（Simple  Mail  Transfer  Protocol），ＰＯＰ３（Post  Office  Protocol  Version  ３）等の電子メールプロトコルに従って、送受信させることができるようになってきている。
【０００４】
また、ファクシミリ装置を、たとえば、インタネットに接続させる接続形態としては、公衆網を介して、インタネットサービスプロバイダ装置に対してダイヤルアップ接続させて、インタネットと接続させる接続形態、あるいは、ＬＡＮ（Local  Area  Network）を介して、該ＬＡＮに接続されているルータ装置などを介して、インタネットと接続させる接続形態、更には、直接、インタネットと接続させる接続形態など、各種の接続形態が、既に採用されており、かかる接続形態のいずれか一つだけを用いて接続させる場合だけに限るものではなく、複数の接続形態を同時に有しているファクシミリ装置も登場してきている。
【０００５】
かかるインタネット等のコンピュータネットワークとの接続により、ファクシミリ情報を送受信するファクシミリ装置を、以下では、ネットワークファクシミリ装置と称することとする。
【０００６】
なお、ネットワークファクシミリ装置においては、前述のごとく、ファクシミリ情報を、電子メール形式に従って、インタネット等のコンピュータネットワークを介して、送受信することにより、ファクシミリ装置相互の間だけではなく、たとえば、ファクシミリ装置とパーソナルコンピュータＰＣとの間でも、送受信させることが可能である。即ち、ネットワークファクシミリ装置のスキャナから読み込んだ文書画情報をＰＣ側に送信したり、逆に、ＰＣ側にあるテキストデータを受信して、ネットワークファクシミリ装置のプロッタなどにファクシミリ情報として記録印刷させたりすることも可能である。
【０００７】
【発明が解決しようとする課題】
しかしながら、たとえば、インタネット上に設けられているＨＴＴＰサーバ装置内にあるＷＥＢページデータを、ネットワークファクシミリ装置に出力させて、閲覧せんとしても、従来のネットワークファクシミリ装置においては、ネットワークファクシミリ装置自機自らが、前記ＷＥＢページデータに直接アクセスする機能を有しているものは存在していない状況にある。
【０００８】
なお、ここで、ＨＴＴＰサーバ装置とは、該サーバ装置との情報交換を行なう際に、ＨＴＴＰ（Hyper  Text  Transfer  Protocol）と称するハイパテキスト転送プロトコルに従って、たとえば、ＨＴＭＬ（Hyper  Text  Markup  Language）により記述されているＨＴＭＬ文書等を、サーバ装置内の文書登録領域であるＷＥＢページ（言い換えれば、ホームページ）に蓄積させたり、あるいは、逆に、送信させたりすることができるサーバ装置のことである。
また、ＷＥＢページデータとは、前述のごとく、サーバ装置内の文書登録領域に蓄積保存されている文書データのことであり、たとえば、ブラウザと称する閲覧用ソフトウェアにより、閲覧したり、ダウンロードしたりすることができる。
【０００９】
従って、かかるＷＥＢページデータを、従来のネットワークファクシミリ装置に出力せんとする場合には、以下に示すごとき面倒な手順を踏むことが必要であった。
即ち、インタネット上のＨＴＴＰサーバ装置内のＷＥＢページにアクセスすることができるパーソナルコンピュータＰＣ等を用いて、所望のＷＥＢページにアクセスさせて、該パーソナルコンピュータＰＣ側にＷＥＢページデータを、一旦、ダウンロードさせた後、該パーソナルコンピュータＰＣにおいて、該ＷＥＢページデータの中から、ネットワークファクシミリ装置が扱うことができるテキストデータ部分のみを抽出させる。
【００１０】
更に、該パーソナルコンピュータＰＣにおいて、抽出されたテキストデータ部分をＭＩＭＥ形式の文書情報に変換させた後、該ＭＩＭＥ形式の文書情報を含むネットワークファクシミリ装置宛の電子メールを作成して、インタネット等を介して、受信側のネットワークファクシミリ装置へ送信する。
而して、漸く、ネットワークファクシミリ装置において、所望のＷＥＢページデータを取得することができ、プロッタ等に印刷可能なファクシミリ情報に変換して、記録印刷させることができるようになる。
【００１１】
一方、最近のインタネット通信環境の普及は急速なものがあり、現在では、インタネット上のＨＴＴＰサーバ装置にあるＷＥＢページデータに記載されている情報を活用することが、社会活動を行なう上で必須の状況になってきている。
【００１２】
しかしながら、前述したごとく、ネットワークファクシミリ装置を用いて、インタネット上のＷＥＢページデータを入手せんとする場合、一旦、インタネット接続されているパーソナルコンピュータＰＣにより、ダウンロードした後、入手を希望するネットワークファクシミリ装置に対して、人手を介して、送信動作を行なわしめなければならなかった。即ち、インタネットに接続されているネットワークファクシミリ装置であるにも拘わらず、インタネット上のＨＴＴＰサーバ装置に保持されているＷＥＢページデータを、わざわざ、人手を介して、別のパーソナルコンピュータＰＣなどにダウンロードさせて、更に、送信操作を行なわしめるという無駄が生じていた。
【００１３】
本発明は、かかる問題に鑑みてなされたものであり、ネットワークファクシミリ装置自らが、インタネット上のサーバ装置に直接アクセスして、所望のＷＥＢページデータをダウンロードさせ、該ＷＥＢページデータの中から、ファクシミリ情報として処理することができるテキストデータ部分のみを抽出して、たとえば、プロッタなどに記録印刷させることを可能にせんとするものである。
而して、わざわざ、別のパーソナルコンピュータＰＣなどにダウンロードする操作をした後、ファクシミリ情報として処理可能なテキストデータ部分を抽出する操作を行ない、更に、電子メールで送信できる形式に変換させる操作をした後、電子メールで送信させる操作を行なうという何段階にも及ぶ人手操作を必要とするがごとき手間を削減させ、パーソナルコンピュータＰＣの操作者の負担を軽減せんとするものである。
【００１４】
【課題を解決するための手段】
請求項１に係る発明は、公衆網へのダイヤルアップ接続手段を有し、及び／または、ＬＡＮ（Local Area Network）との接続を行なうＬＡＮ接続手段を有し、インタネット等のコンピュータネットワークに接続することができるネットワークファクシミリ装置において、前記コンピュータネットワークに接続されているサーバ装置内にあるＷＥＢページの所在を特定するＵＲＬ（Uniform Resource Locators）を任意に指定することができるＵＲＬ指定手段と、人手により操作することができるリダイヤルキーを用いることにより、前回指定したＵＲＬを再度指定させることができるＵＲＬ再指定手段と、前記ＵＲＬ再指定手段が再度指定したＵＲＬに基づくＷＥＢページのデータを、ダウンロードさせて、受信することができるＷＥＢページ制御手段と、ダウンロードさせた前記ＷＥＢページのデータを解析させて、テキストデータ部分だけを抽出させることができるＷＥＢページデータ解析手段と、抽出した前記テキストデータ部分をファクシミリ情報に変換させることができる復号化手段とを有することを特徴とする。
【００１９】
請求項６に記載のコンピュータ読取り可能な記録媒体は、公衆網へのダイヤルアップ接続手段を有し、及び／または、ＬＡＮとの接続を行なうＬＡＮ接続手段を有し、インタネット等のコンピュータネットワークに接続して、ファクシミリ情報を送受信することができ、かつ、前記コンピュータネットワークに接続されているサーバ装置内にあるＷＥＢページの所在を特定するＵＲＬを指定することにより、指定された該サーバ装置内にある前記ＷＥＢページのデータをダウンロードさせ、ダウンロードさせた前記ＷＥＢページのデータのうちテキストデータ部分だけを抽出して、ファクシミリ情報に変換させることができるファクシミリ通信方法を、コンピュータに実施させるためのプログラムとして記録させていることを特徴とするものである。
【００２０】
【発明の実施の形態】
本発明にかかるネットワークファクシミリ装置の実施形態について、以下に、図を参照しながら、説明する。
図１は、本発明にかかるネットワークファクシミリ装置を接続したネットワーク構成の一例を示すネットワーク構成図である。図２は、本発明にかかるネットワークファクシミリ装置における回路構成の一例を示すブロック図である。また、図３は、インタネット上のＨＴＴＰサーバ装置にあるＷＥＢページデータをダウンロードする際のＨＴＴＰ（Hyper  Text  Transfer  Protocol）プロトコル手順の一例を示すプロトコルフローチャートである。
【００２１】
また、図４，図５は、本発明にかかるネットワークファクシミリ装置の動作の一例を説明するためのフローチャートである。なお、図５は、図４に示すフローチャートに続く残りの部分を示すものである。
また、図６は、本発明にかかるネットワークファクシミリ装置のユーザが、行なう操作の一例を説明するためのフローチャートである。
【００２２】
図１において、１０，２０，３０，及び、４０は、それぞれ、通信装置としてファクシミリ装置を有していて、公衆網６１、あるいは、インタネット５１に、それぞれ、接続回線１２と１３の二つ，２３，３２，及び、４２を用いて、接続されている通信サイトを示しており、ファクシミリ装置の設置形態が異なる各通信サイトの構成例を例示している。
【００２３】
また、１１，２１，３１は、それぞれ、通信サイト１０，２０，３０内に設置されていて、公衆網６１あるいはインタネット５１を介してファクシミリ情報を送受信することができるネットワークファクシミリ装置ＮＦＡＸであり、４１は、通信サイト４０内に設置されていて、公衆網６１のみを介して、ファクシミリ情報を送受信するＧ３／Ｇ４ファクシミリ装置ＦＡＸである。
【００２４】
また、通信サイト１０，２０には、それぞれ、ＬＡＮ（Local  Area  Network）１４，２４が備えられていて、各ネットワークファクシミリ装置ＮＦＡＸ１１，２１は、それぞれ、ＬＡＮ１４，２４を介して、ルータ装置１５，２５に接続されることにより、ルータ装置１５，２５に接続されている接続回線１３，２３を経由して、インタネット５１との間で、電子メール形式で、ファクシミリ情報を送受信させたり、あるいは、インタネット５１上に設けられているサーバ装置内のＷＥＢページデータをダウンロードさせることができる。
【００２５】
また、通信サイト１０内に設置されているネットワークファクシミリ装置ＮＦＡＸ１１は、接続回線１２を介して、公衆網６１にも接続されており、公衆網６１を介して、直接、相手側のファクシミリ装置（ネットワークファクシミリ装置ＮＦＡＸやＧ３／Ｇ４ファクシミリ装置ＦＡＸ）との間で、ファクシミリ情報の送受信を行なうことも可能である。かかる接続は、通信サイト３０内のネットワークファクシミリ装置ＮＦＡＸ３１の場合においても同様である。
【００２６】
更に、ネットワークファクシミリ装置ＮＦＡＸ１１，３１は、公衆網６１を介して、直接、相手側のファクシミリ装置と、ファクシミリ情報を送受信できるのみならず、公衆網６１にダイヤルアップ接続して、インタネット５１にあるインタネットサービスプロバイダ装置ＩＳＰ５１ａに接続させて、インタネット５１を介した、ファクシミリ情報の送受信を行なわしめたり、インタネット５１上に設けられているサーバ装置内のＷＥＢページデータをダウンロードさせることも可能である。
【００２７】
一方、通信サイト４０内に設置されているＧ３／Ｇ４ファクシミリ装置ＦＡＸ４１は、インタネット５１を経由するファクシミリ情報の送受信を行なうことはできず、公衆網６１のみを介するファクシミリ情報の送受信しか実行できない。
【００２８】
また、通信サイト１０，２０内のＬＡＮ１４，２４には、それぞれ、ネットワークファクシミリ装置ＮＦＡＸ１１，ＮＦＡＸ２１のみならず、パーソナルコンピュータＰＣ等からなるワークステーション装置ＷＳ，ＷＳ１，…，ＷＳｎ  １７，２７，…，２８も接続されており、ネットワークファクシミリ装置ＮＦＡＸ１１，ＮＦＡＸ２１は、それぞれのＬＡＮ１４，２４を介して、かかるワークステーション装置ＷＳ，ＷＳ１，…，ＷＳｎ  １７，２７，…，２８とも、情報の授受を行なうことが可能である。
更には、ワークステーション装置ＷＳ，ＷＳ１，…，ＷＳｎ  １７，２７，…，２８は、インタネット５１を介して、他の通信サイトに設けられているワークステーション装置，パーソナルコンピュータＰＣ、あるいは、ネットワークファクシミリ装置ＮＦＡＸとも、情報の授受を行なうことができる。
【００２９】
なお、後述の実施例（即ち、図４，５に示すフローチャートの動作例）においては、通信サイト２０内のワークステーション装置ＷＳ１  ２７が、インタネット５１に接続されているサーバ装置として動作する場合を示しており、かつ、該サーバ装置は、ＨＴＴＰプロトコルに準拠して、情報の交換がなされるＨＴＴＰサーバ装置である場合を示している。
【００３０】
また、通信サイト２０内のＬＡＮ２４には、メールサーバ装置２６も接続されており、通信サイト２０内に設置されている各種通信装置間やインタネットを介して他の通信サイトにある通信装置間との電子メールの交換も自由に行なうことができる。
更に、図示していないが、通信サイト２０には、ファイアウォール装置や、ＤＮＳ（Domain  Name  Server）装置等、サーバ装置を有するＷＥＢサイトとして必要とする各種の通信装置を備えさせることもできる。
【００３１】
また、インタネット５１を介して、ファクシミリ情報を送受信したり、インタネット５１上にあるサーバ装置内のＷＥＢページデータをダウンロードしたりすることができるネットワークファクシミリ装置ＮＦＡＸ１１，２１，３１を構成する回路は、いずれも同一の回路ブロックからなっており、たとえば、図２に示すごとき回路部から構成されている。
以下、ネットワークファクシミリ装置ＮＦＡＸ１１を例にとって、図２に示す該ネットワークファクシミリ装置ＮＦＡＸ内の各回路部を説明する。
【００３２】
図２に示すように、ネットワークファクシミリ装置ＮＦＡＸ１１は、システム制御部１１ａ，システムメモリ１１ｂ，画像蓄積装置１１ｃ，スキャナ１１ｄ，プロッタ１１ｅ，操作表示部１１ｆ，符号化復号化部１１ｇ，ＬＡＮ通信部１１ｈ，モデム１１ｉ，網制御部１１ｊ，ＷＥＢページデータ解析部１１ｋ，及び、システムバス１１ｌにより構成されている。
【００３３】
システム制御部１１ａは、システムメモリ１１ｂに格納されている制御プログラムに従って、ネットワークファクシミリ装置ＮＦＡＸ１１の各回路部を制御するマイクロプロセッサである。
【００３４】
システムメモリ１１ｂは、前述の如く、システム制御部１１ａがネットワークファクシミリ装置ＮＦＡＸ１１の各回路部を制御するために必要な各種の制御プログラムを記憶したり、各種データを一時保存したり、あるいは、前記制御プログラムが動作する際の作業領域として使用されるランダムアクセスメモリである。
【００３５】
画像蓄積装置１１ｃは、スキャナ１１ｄで読み取った文書画情報やダウンロードしたＷＥＢページデータを、ファクシミリ送信や電子メールにより送信するまでの間、一時的に、画像ファイルとして蓄積したり、あるいは、逆に、ファクシミリ受信や電子メールにより受信した文書情報、または、ダウンロードしたＷＥＢページデータを、たとえば、プロッタ１１ｅにより印刷したりするまでの間、一時的に、画像ファイルとして蓄積したりするための記憶領域となるものである。
【００３６】
スキャナ１１ｄは、３.８５本／ｍｍ，７.７本／ｍｍ，１５.４本／ｍｍ等の所定の読み取り線密度で、原稿トレイにセットされている原稿画像を読み取って、文書画情報を得るためのものである。
プロッタ１１ｅは、ファクシミリ受信や電子メールにより受信した文書情報を、該文書情報の線密度に応じて、記録紙に記録出力したり、スキャナ１１ｄで読み取った文書画情報やダウンロードしたＷＥＢページデータを、必要とする線密度に応じて、記録紙に記録出力したりするためのものである。
【００３７】
操作表示部１１ｆは、ファクシミリ情報の送信先を指定するためのテンキー、スキャナ１１ｄから読み取ったファクシミリ情報の送信を要求する送信キー、その他の各種の制御指示を入力することができる操作キーを備えていると共に、更に、受信文書情報を表示したり、操作者に対して通知すべき各回路部の動作状態や各種メッセージを表示したりするための液晶表示装置等の表示器も備えている。
【００３８】
なお、操作表示部１１ｆにおいて、各種の制御指示を入力するための前記以外の操作キーとしては、電子メールアドレスやＨＴＴＰサーバ装置のＷＥＢページのＵＲＬ（Uniform  Resource  Locators）を指定するなどの際に、ＡＳＣＩＩコード形式の英数字情報を入力するために用いられる「アルファベットキー」１１ｆ１，最新にアクセスしたＷＥＢページのＵＲＬを再選択することを指示する「リダイヤルキー」１１ｆ２，あらかじめ登録されているＵＲＬをワンタッチで指定するための「ワンタッチキー」１１ｆ３、あらかじめ登録されている複数の短縮ＵＲＬリストの中から、ＵＲＬを選択して指定する「短縮番号キー」１１ｆ４，更には、ＷＥＢページデータのダウンロードを要求する「ダウンロード要求キー」１１ｆ５，等の各種の操作キーが配設されている。
【００３９】
符号化復号化部１１ｇは、ファクシミリ送信する文書画情報を、たとえば、Ｇ３ファクシミリ符号に適合する、ＭＨ（Modified  Huffman）符号化方式，ＭＲ（Modified  READ）符号化方式、等の所定の符号化方式で符号化圧縮する。また、逆に、ファクシミリ受信した文書画情報を、ＭＨ符号化方式、ＭＲ符号化方式、等に対応する所定の復号化方式で復号化伸長するものである。
【００４０】
また、符号化復号化部１１ｇは、電子メールで送信する場合に、たとえば、文書画情報のファイル形式であるＴＩＦＦ（Tagged  Image  File  Format）形式ファイルへの符号化、更に、ＭＩＭＥ形式での文書情報へのエンコードを行なう。また、逆に、電子メールとして受信した文書情報のＭＩＭＥ形式でのデコード、更には、ＴＩＦＦ形式ファイルから文書画情報への復元処理も行なう。
更には、インタネット５１等にあるサーバ装置からダウンロードさせたＷＥＢページデータを、プロッタ１１ｅに印刷できる形式のファクシミリ情報に変換する復号化機能も有している。
【００４１】
なお、符号化復号化部１１ｇが、システムメモリ１１ｂに格納されている制御プログラムとは、独立させた回路部として構成されている例を示しているが、前述したごとき符号化復号化に要する変換処理を、制御プログラムとして実現し、システムメモリ１１ｂに格納することとしても良い。
【００４２】
ＬＡＮ通信部１１ｈは、ＬＡＮ１４におけるＴＣＰ／ＩＰ（Transmission  Control  Protocol／Internet  Protocol）プロトコルを制御するものであり、ＴＣＰ／ＩＰ上でのＳＭＴＰ、ＰＯＰ３の各プロトコルに基づいた電子メールの送受信や、ＨＴＴＰ（Hyper  Text  Transfer  Protocol）プロトコルに基づいたＷＥＢページデータのダウンロードなどを、システム制御部１１ａが行なえるようにするためのものである。
【００４３】
モデム１１ｉは、Ｇ３ファクシミリ・データモデムであり、公衆網６１とアナログ回線により接続されている場合において、網制御部１１ｊを介して、公衆網６１に送信するファクシミリ情報、あるいは、データをファクシミリ信号、あるいは、データ信号に変調する。また、逆に、網制御部１１ｊを介して、公衆網６１から受信したファクシミリ信号、あるいは、データ信号をファクシミリ情報、あるいは、データに復調するものである。
公衆網６１のみを介して相互にファクシミリ通信を行なうファクシミリ通信の場合には、Ｇ３ファクシミリモデムとして動作し、一方、公衆網６１を介してインタネットサービスプロバイダ装置ＩＳＰ５１ａに対してダイヤルアップ接続し、インタネット５１を介して、電子メール形式の送受信を行なったり、ＷＥＢページデータをダウンロードする場合には、データモデムとして動作する。
【００４４】
網制御部１１ｊは、公衆網６１に接続されており、アナログ回線により接続される場合は、回線網制御装置ＮＣＵ（Network  Control  Unit）として動作し、一方、ＩＳＤＮ回線により接続される場合には、ＴＡ（Terminal  Adapter）として動作し、公衆網６１との接続回線１２の接続・切断などの各種の接続制御や、選択信号の送受信制御を行なうものである。
【００４５】
ＷＥＢページデータ解析部１１ｋは、インタネット５１上のサーバ装置内のＷＥＢページデータ、たとえば、ＨＴＴＰサーバ装置にあるＨＴＭＬ（Hyper  Text  Markup  Language）形式の文書データをダウンロードして読み込んだ際に、該ＷＥＢページデータを解析して、該ＷＥＢページデータに含まれるテキストデータを抽出して、所定の形式のテキストデータに編集するものである。
【００４６】
なお、ＷＥＢページデータ解析部１１ｋとモデム１１ｉ、及び、ＷＥＢページデータ解析部１１ｋとＬＡＮ通信部１１ｈとを相互に直接接続して（図２において、破線で示している）、モデム１１ｉ、または、ＬＡＮ通信部１１ｈが、ＷＥＢページデータを受信した際に、直ちに、受信した該ＷＥＢページデータをＷＥＢページデータ解析部１１ｋに転送させることとしても良い。
あるいは、モデム１１ｉ、または、ＬＡＮ通信部１１ｈが受信したＷＥＢページデータを、一旦、画像蓄積装置１１ｃに蓄積保存させた後、制御プログラムの動作に伴うシステム制御部１１ａからの指示に基づいて、画像蓄積装置１１ｃから受信したＷＥＢページデータを読み出して、ＷＥＢページデータ解析部１１ｋに送ることとしても良い。
【００４７】
また、後者の場合においては、ＷＥＢページデータ解析部１１ｋが、システムメモリ１１ｂに格納されている制御プログラムとは、独立させた回路部として構成されている例を示しているが、前述したごときテキストデータ抽出処理を、制御プログラムとして実現し、システムメモリ１１ｂに格納することとしても良い。
【００４８】
システムバス１１ｌは、上記各回路部がデータをやり取りするための信号ラインである。
【００４９】
また、システムメモリ１１ｂに格納されている各種制御プログラムとしては、操作制御プログラム１１ｂ１，表示制御プログラム１１ｂ２，プロッタ出力プログラム１１ｂ３，ＷＥＢページ制御プログラム１１ｂ４，電子メール制御プログラム１１ｂ５，テキストデータ抽出プログラム１１ｂ６，テキストデータ変換プログラム１１ｂ７，スキャナ入力プログラム１１ｂ８，公衆網接続制御プログラム１１ｂ９，及び、ＬＡＮ通信制御プログラム１１ｂ１０等が備えられている。
【００５０】
操作制御プログラム１１ｂ１は、操作表示部１１ｆに設けられている各種の操作キーの状態を読み取る動作を制御するものであり、表示制御プログラム１１ｂ２は、操作表示部１１ｆに設けられている表示装置に各種の情報を表示する動作を制御するものである。
また、プロッタ出力プログラム１１ｂ３は、プロッタ１１ｅにセットされている記録紙にファクシミリ情報を印刷する動作を制御するものである。
【００５１】
ＷＥＢページ制御プログラム１１ｂ４は、インタネット等のサーバ装置に蓄積されているＷＥＢページデータをダウンロードさせる動作を制御するものである。
電子メール制御プログラム１１ｂ５は、ファクシミリ情報を電子メール形式で送受信させる動作を制御するものである。
【００５２】
テキストデータ抽出プログラム１１ｂ６は、ＷＥＢページデータ解析部１１ｋを駆動して、ダウンロードしたＷＥＢページデータからテキストデータ部分を抽出する動作を制御するものである。
また、テキストデータ変換プログラム１１ｂ７は、テキストデータ抽出プログラム１１ｂ６により抽出されたテキストデータ部分を、符号化復号化部１１ｇを駆動して、プロッタ１１ｅに出力可能なファクシミリ情報に変換させる動作を制御するものである。
【００５３】
更に、スキャナ入力プログラム１１ｂ８は、スキャナ１１ｄの原稿台にセットされているファクシミリ原稿を読み取る動作を制御するものである。
公衆網接続制御プログラム１１ｂ９は、網制御部１１ｊやモデム１１ｉを駆動することにより、公衆網との間の接続回線を制御して、接続回線を接続したり、切断したり、あるいは、選択信号等の各種信号や各種トーン信号を送受信したりする動作を制御するものである。
また、ＬＡＮ通信制御プログラム１１ｂ１０は、ＬＡＮ通信部１１ｈを駆動して、ＬＡＮ１４との間で、ＴＣＰ／ＩＰプロトコルに基づいて、各種の情報を送受信する動作を制御するものである。
【００５４】
即ち、図２に示すがごとき構成を有するネットワークファクシミリ装置ＮＦＡＸ１１は、ＬＡＮ通信部１１ｈを用いて、ＬＡＮ１４に接続されているルータ装置１５を介して、インターネット５１に直接接続されるか、あるいは、網制御部１１ｊを用いて、公衆網６１を経由して、インタネットサービスプロバイダ装置ＩＳＰ５１ａとの接続を行なうことにより、インターネット５１に接続されるかの、いずれか、あるいは、双方の接続構成が可能となっており、インターネット５１を介して電子メール形式に基づくファクシミリ情報の送受信を行なったり、インタネット５１上のサーバ装置にあるＷＥＢページデータをダウンロードさせたりすることが可能になっている。
更には、ネットワークファクシミリ装置ＮＦＡＸ１１は、網制御部１１ｊを用いて、公衆網６１に接続して、直接、相手側のファクシミリ装置との間で、Ｇ３／Ｇ４ファクシミリ情報を送受信させることも可能である。
【００５５】
次に、図４乃至図６に示すフローチャートに従って、本発明にかかるネットワークファクシミリ装置ＮＦＡＸの動作を説明する。
【００５６】
なお、以下の説明においては、図１に示す通信サイト１０に設置されているネットワークファクシミリ装置ＮＦＡＸ１１が、インタネット５１を介して、ＨＴＴＰサーバ装置として、インタネット５１に接続されている通信サイト２０内のワークステーション装置ＷＳ１  ２７（ＵＲＬアドレスが「http://ws1@xyz.co.jp/」）にあるＷＥＢページデータをダウンロードして、ネットワークファクシミリ装置ＮＦＡＸ１１のプロッタ１１ｅに記録印刷させる場合の動作について、一例として、示している。
【００５７】
また、ネットワークファクシミリ装置ＮＦＡＸ１１が、インタネット５１に接続されるルートとしては、前述のごとく、公衆網６１を経由して、ダイヤルアップ接続するルートも存在しているが、説明を簡単にするために、以下の説明においては、ＬＡＮ１４，ルータ装置１５を介して、接続回線１３を経由して、インタネット５１に接続されるＬＡＮ経由の接続形態の場合について、説明する。
【００５８】
まず、図６に基づいて、ネットワークファクシミリ装置ＮＦＡＸ１１のユーザが行なう操作を説明する。該ユーザは、まず、インタネット５１への接続形態（即ち、接続ルート）を指定する（ステップＳ２１）。即ち、ルータ装置１５を介して接続する場合は（ステップＳ２１のＹＥＳ）、操作表示部１１ｆに設けられている「ルータ接続キー」（図示していない）を選び（ステップＳ２２）、公衆網６１を介して、ダイヤルアップ接続する場合は（ステップＳ２１のＮＯ）、操作表示部１１ｆに設けられている「ダイヤルアップ接続キー」（図示していない）を選択する（ステップＳ２３）。
【００５９】
次に、該ユーザは、ダウンロードすべきＷＥＢページを有しているＨＴＴＰサーバ装置の所在を示しているＵＲＬアドレス「http://ws1@xyz.co.jp/」を指定する方法として、あらかじめ登録されているワンタッチダイヤルとして指定されているＵＲＬアドレスを用いるのか、あるいは、短縮ダイヤルとして登録されている短縮ＵＲＬリストの中からＵＲＬアドレスを選択するのか、を決定する（ステップＳ２４）。ワンタッチダイヤルとして指定する場合は（ステップＳ２４のＹＥＳ）、操作表示部１１ｆに設けられている「ワンタッチキー」１１ｆ３を押し、短縮ダイヤルとして指定する場合は（ステップＳ２４のＹＥＳ）、操作表示部１１ｆに設けられている該当する「短縮番号キー」１１ｆ４を押す（ステップＳ２７）。
【００６０】
いずれでもない場合は（ステップＳ２４のＮＯ）、次に、最新にアクセスしたＵＲＬアドレスをリダイヤルする場合であるか決定する（ステップＳ２５）。該リダイヤルのＵＲＬアドレスを指定する場合（ステップＳ２５のＹＥＳ）、操作表示部１１ｆに設けられている「リダイヤルキー」１１ｆ２を押し（ステップＳ２８）、そうではない場合（ステップＳ２５のＮＯ）、接続先のＵＲＬアドレスを、操作表示部１１ｆに設けられている「アルファベットキー」１１ｆ１により設定する（ステップＳ２６）。
【００６１】
なお、ここで、接続先のＨＴＴＰサーバ装置内に存在しているダウンロードすべきＷＥＢページの所在を示すＵＲＬアドレスを直接指定していても良いし、あるいは、ダウンロードすべきＷＥＢページが複数のＷＥＢページから構成されている場合等においては、接続先のＨＴＴＰサーバ装置の所在を示すＵＲＬアドレスとは別に、ＨＴＴＰサーバ装置内のＷＥＢページのアドレスを、別途、操作表示部１１ｆに設けられているキーにより、設定させることとしても良い。
【００６２】
以上の設定動作が終了したら、ユーザは、操作表示部１１ｆに設けられている「ダウンロード要求キー」１１ｆ５を押す（ステップＳ２９）。
ここに、「ダウンロード要求キー」１１ｆ５は、ダウンロードしたＷＥＢページデータをプロッタ１１eに印刷することを要求する操作キーである。該「ダウンロード要求キー」１１ｆ５を押下すると、ネットワークファクシミリ装置ＮＦＡＸ１１の操作表示部１１ｆから、システム制御部１１ａが起動されて、ユーザが操作した操作キー情報を、操作制御プログラム１１ｂ１に通知することになり、システム制御部１１ａは、図４及び図５のフローチャートに示すような動作を開始させることとなる。
【００６３】
以下、図４及び図５に示すフローチャートに従って、ネットワークファクシミリ装置ＮＦＡＸ１１の動作を説明する。
まず、「ダウンロード要求キー１１ｆ５」の押下を、操作表示部１１ｆを制御する操作制御プログラム１１ｂ１の動作により、システム制御部１１ａが検出すると、システム制御部１１ａは、操作表示部１１ｆに設けられている各種キーの設定状態を、操作制御プログラム１１ｂ１の動作を介して、読み取り、システムメモリ１１ｂの所定の領域に、一旦、格納する。
【００６４】
その後、まず、インタネット５１への接続形態を識別するために、操作表示部１１ｆに設定されていたキーが「ルータ接続キー」であったかを、操作制御プログラム１１ｂ１の動作により、システム制御部１１ａは、システムメモリ１１ｂの格納内容に基づいて、調べる（ステップＳ１）。
【００６５】
「ルータ接続キー」の押下ではなかった場合（ステップＳ１のＮＯ）、「ダイヤルアップ接続キー」の押下により、ダイヤルアップ接続の要求がなされているので、公衆網接続制御プログラム１１ｂ９の動作により、システム制御部１１ａは、網制御部１１ｊを制御して、公衆網６１を介して、インタネットサービスプロバイダ装置ＩＳＰ５１ａとの接続を行なわしめる（Ｓ２）。
一方、「ルータ接続キー」の押下があった場合は（ステップＳ１のＹＥＳ）、ＬＡＮ１４，ルータ装置１５経由で、インタネット５１への接続を行なわしめることとなる。以下の説明では、前述のごとく、ＬＡＮ１４経由の接続形態について説明する。
【００６６】
次いで、アクセスすべきＨＴＴＰサーバ装置のＵＲＬアドレスと該ＨＴＴＰサーバ装置内の所望のＷＥＢページのＵＲＬアドレスとが指定されている方法がワンタッチダイヤルあるいは短縮ダイヤルであるかということを、操作制御プログラム１１ｂ１の動作により、システム制御部１１ａは、システムメモリ１１ｂの格納内容に基づいて、判定する（ステップＳ３）。
【００６７】
「ワンタッチキー」１１ｆ３の押下の場合は（ステップＳ３のＹＥＳ）、ＷＥＢページ制御プログラム１１ｂ４の動作により、システム制御部１１ａは、あらかじめシステムメモリ１１ｂの所定の領域に登録されているワンタッチダイヤルＵＲＬを、指定されているＵＲＬアドレスとして、読み出し、「ＨＴＴＰ（Hyper  Text  Transfer  Protocol）セッションオープン」リクエスト用のＵＲＬアドレス設定領域に設定する（ステップＳ６）。
【００６８】
また、「短縮番号キー」１１ｆ４の押下がなされていた場合（ステップＳ３のＹＥＳ）、ＷＥＢページ制御プログラム１１ｂ４の動作により、システム制御部１１ａは、あらかじめシステムメモリ１１ｂの所定の領域に登録されている短縮ＵＲＬリストの中から、指定された短縮番号に対応するＵＲＬアドレスを読み出し、「ＨＴＴＰセッションオープン」リクエスト用のＵＲＬアドレス設定領域に設定する（ステップＳ６）。
【００６９】
一方、いずれにも該当していない場合（ステップＳ３のＮＯ）、最新のアクセスがなされたＵＲＬアドレスへの再度のアクセス要求を示す「リダイヤルキー」１１ｆ２の押下があったかを、操作制御プログラム１１ｂ１の動作により、システム制御部１１ａは、システムメモリ１１ｂの格納内容に基づいて、判定する（ステップＳ４）。
【００７０】
「リダイヤルキー」１１ｆ２の押下があった場合は（ステップＳ４のＹＥＳ）、ＷＥＢページ制御プログラム１１ｂ４の動作により、システム制御部１１ａは、最新にアクセスしたＵＲＬアドレスを格納しているシステムメモリ１１ｂのリダイヤルバッファ１１ｂ１１から、最新アクセスのＵＲＬアドレスを読み出し、「ＨＴＴＰセッションオープン」リクエスト用のＵＲＬアドレス設定領域に設定する（ステップＳ７）。
【００７１】
一方、「リダイヤルキー」１１ｆ２の押下もされていない場合（ステップＳ４のＮＯ）、アクセスしたいＵＲＬアドレスが、操作表示部１１ｆの「アルファベットキー」１１ｆ１に設定されている場合であり、ＷＥＢページ制御プログラム１１ｂ４の動作により、システム制御部１１ａは、システムメモリ１１ｂに格納されている該「アルファベットキー」１１ｆ１の設定情報を取り出し、「ＨＴＴＰセッションオープン」リクエスト用のＵＲＬアドレス設定領域に設定する（ステップＳ５）。
【００７２】
また、前述の動作により設定されたＵＲＬアドレスは、同時に、システムメモリ１１ｂ内に設けられているリダイヤルバッファ１１ｂ１１にも記憶保持させる。而して、インタネット５１上の同一サーバ装置の同一ＷＥＢページへの次回以降のアクセスに備えることにより、かかるアクセス要求が発生した際に、「リダイヤルキー」１１ｆ２を用いることにより、リダイヤルバッファ１１ｂ１１から、最新にアクセスしたサーバ装置のＷＥＢページに関するＵＲＬアドレスを読み出して、再設定させれば、ＵＲＬアドレス再入力の操作を省略させることができる。
【００７３】
次いで、ＨＴＴＰ（Hyper  Text  Transfer  Protocol）プロトコルに基づくデータ送受信動作に移行する。
即ち、ＨＴＴＰプロトコルに基づいて、ネットワークファクシミリ装置ＮＦＡＸ１１が、インタネット５１を介して、前記ＵＲＬアドレス（http://ws1@xyz.co.jp/）で指定されているＨＴＴＰサーバ装置、即ち、通信サイト２０内のワークステーション装置ＷＳ１  ２７にあるＨＴＭＬ（Hyper  Text  Markup  Language）形式等のＷＥＢページデータをダウンロードさせる動作がなされる。以下では、図３に示すプロトコルフローチャートも参照しながら、図５のフローチャートに従って、説明する。
【００７４】
ここに、ＨＴＴＰプロトコルは、図３のプロトコルフローチャートに示すように、クライアントからサーバへのリクエストに対応して、サーバからクライアントへレスポンスを応答するという形式の会話型の通信形態であり、リクエストは、ＵＲＬアドレスにより、通信パスを指定して送信され、レスポンスは、該リクエストに設定されているパス情報を、逆に設定させて、返信される。
【００７５】
ＷＥＢページ制御プログラム１１ｂ４の動作により、システム制御部１１ａは、「ＨＴＴＰセッションオープン」リクエストの宛先ＵＲＬアドレス以外の残りの部分、たとえば、送信元のＩＰ（Internet  Protocol）アドレス、送信プロトコル・バージョン、送信日時、リクエスト方法、等を設定した後、ＬＡＮ通信制御プログラム１１ｂ１０の動作により、システム制御部１１ａは、ＬＡＮ通信部１１ｈを駆動して、ＬＡＮ１４上に、ＴＣＰ／ＩＰプロトコルに従って、該「ＨＴＴＰセッションオープン」リクエストを送出する。
【００７６】
ＬＡＮ１４に送出された「ＨＴＴＰセッションオープン」リクエストは、ルータ装置１５において、ＴＣＰ／ＩＰプロトコルに従って、受信された後、ルータ装置１５において、該リクエストに指定されている宛先ＵＲＬアドレスが、該ＬＡＮ１４内ではなく、外部にあるＵＲＬアドレスであることが認識され、接続回線１３を介して、インタネット５１に対して、該「ＨＴＴＰセッションオープン」リクエストが送出される（図３におけるステップＰ１）。
【００７７】
インタネット５１においては、ＨＴＴＰプロトコルに従って、前記「ＨＴＴＰセッションオープン」リクエストの宛先ＵＲＬアドレス（http://ws1@xyz/co.jp/）で指定されているＨＴＴＰサーバ装置まで、該「ＨＴＴＰセッションオープン」リクエストが、順次、転送されていき、最終的には、通信サイト２０の接続回線２３を介して、ルータ装置２５まで配信されてくる。
【００７８】
該ルータ装置２５においては、配信されてきた前記「ＨＴＴＰセッションオープン」リクエストの宛先ＵＲＬアドレスが、ＬＡＮ２４に接続されているワークステーション装置ＷＳ１  ２７のアドレスであることを認識して、ＬＡＮ２４を介して、ＴＣＰ／ＩＰプロトコルに従って、ワークステーション装置ＷＳ１  ２７に向けて、受信した該「ＨＴＴＰセッションオープン」リクエストを送出する。
【００７９】
ＬＡＮ２４に接続されているワークステーション装置ＷＳ１  ２７において、ＬＡＮ２４に送出された前記「ＨＴＴＰセッションオープン」リクエストが取り込まれて、正しく通信セッションの設定が可能であることを確認して、該通信セッションを設定すると共に、ＨＴＴＰプロトコルに従って、「Connect  OK」の旨を示すレスポンスを作成する。
【００８０】
更に、該「ＨＴＴＰセッションオープン」リクエストに記述されている送信元のＩＰアドレスを、該レスポンスの送信先のアドレスとして、該レスポンスの宛先を示す所定の場所に設定して、ＬＡＮ２４へ送出することにより、送信元への返信を行なう。
即ち、該「Connect  OK」のレスポンスは、ワークステーション装置ＷＳ１  ２７から、ＬＡＮ２４に送出され、ルータ装置２５において、該ＬＡＮ２４内の宛先ではないことが認識されて、インタネット５１に、接続回線２３を介して、送出される（図３におけるステップＰ２）。
【００８１】
インタネット５１においては、ＨＴＴＰプロトコルに従って、前記「Connect  OK」レスポンスの宛先ＩＰアドレスが示す通信サイト１０まで、該「Connect  OK」レスポンスが、順次、転送されていき、最終的には、通信サイト１０の接続回線１３を介して、ルータ装置１５まで配信されてくる。
【００８２】
該ルータ装置１５においては、配信されてきた前記「Connect  OK」レスポンスの宛先ＩＰアドレスが、ＬＡＮ１４に接続されているネットワークファクシミリ装置ＮＦＡＸ１１のアドレスであることを認識して、ＬＡＮ１４を介して、ＴＣＰ／ＩＰプロトコルに従って、受信した該「Connect  OK」レスポンスを送出する。
【００８３】
ＬＡＮ１４に接続されているネットワークファクシミリ装置ＮＦＡＸ１１においては、ＬＡＮ通信制御プログラム１１ｂ１０の動作により、システム制御部１１ａは、ＬＡＮ通信部１１ｈを介して、ＬＡＮ１４に送信されてきた自機宛の前記「Connect  OK」レスポンスを取り込む。次いで、ＬＡＮ通信制御プログラム１１ｂ１０の動作により、システム制御部１１ａは、取り込んだ情報が、ＨＴＴＰプロトコル準拠のメッセージであることを判定して、ＷＥＢページ制御プログラム１１ｂ４を起動させる。
【００８４】
ＷＥＢページ制御プログラム１１ｂ４の動作により、システム制御部１１ａは、受信したメッセージが「Connect  OK」レスポンスであることを識別することにより、正しく通信セッションの設定がなされたことを確認して、通信相手として要求していたＨＴＴＰサーバ装置、即ち、ワークステーション装置ＷＳ１  ２７（ＵＲＬアドレスhttp://ws1@xyz/co.jp/）との論理的な接続がなされていることを、シスメムメモリ１１ｂの所定の領域に設定する。
【００８５】
更に、ＷＥＢページ制御プログラム１１ｂ４の動作により、システム制御部１１ａは、論理的に接続されたＨＴＴＰサーバ装置、即ち、ワークステーション装置ＷＳ１  ２７にある、ダウンロード対象のＷＥＢページを示すＵＲＬパス情報（複数のＷＥＢページからなる場合は、そのすべてのＷＥＢペ−ジを示すＵＲＬパス情報）を設定して、ファイル転送させるためのＨＴＴＰリクエストを示す、「指定ＷＥＢページファイル転送要求」リクエストを作成する。
【００８６】
作成された「指定ＷＥＢページファイル転送要求」リクエストは、前述の「ＨＴＴＰセッションオープン」リクエストを送信する場合の動作と同様に、ＬＡＮ通信制御プログラム１１ｂ１０の動作により、システム制御部１１ａが、ＬＡＮ通信部１１ｈを駆動して、ＬＡＮ１４上に、ＴＣＰ／ＩＰプロトコルに従って、送出させる（ステップＳ９）。
【００８７】
更に、前記「指定ＷＥＢページファイル転送要求」リクエストは、前述の「ＨＴＴＰセッションオープン」リクエストを転送する場合の動作と同様に、ルータ装置１５を介して、インタネット５１に送出され（図３におけるステップＰ３）、インタネット５１を経由して、宛先の通信サイト２０内のルータ装置２５に届けられ、更に、ＬＡＮ２４を介して、ワークステーション装置ＷＳ１  ２７に届けられる。
【００８８】
ワークステーション装置ＷＳ１  ２７においては、ＨＴＴＰプロトコルに従って、まず、受信した前記「指定ＷＥＢページファイル転送要求」リクエストで、ＵＲＬパス情報として指定されているＷＥＢページに関する構成情報、たとえば、アクセスの成否を示すステータス情報やＷＥＢページデータ（コンテンツ）の記述形式、等を示すヘッダ情報を返送するために、「ＷＥＢページファイル転送応答（ヘッダ）」レスポンスが作成されて、前述の「Connect  OK」レスポンスの返送の場合と同様にして、「指定ＷＥＢページファイル転送要求」リクエストの送信元である通信サイト１０のネットワークファクシミリ装置ＮＦＡＸ１１への返信が行なわれる（図３におけるステップＰ４）。
【００８９】
ネットワークファクシミリ装置ＮＦＡＸ１１において、前記「ＷＥＢページファイル転送応答（ヘッダ）」レスポンスを受信したことを、前述の「Connect  OK」レスポンスを受信した場合と同様にして、ＬＡＮ通信制御プログラム１１ｂ１０の動作を介して、ＷＥＢページ制御プログラム１１ｂ４の動作により、システム制御部１１ａが、識別すると、画像蓄積装置１１ｃ内の所定の領域に、該「ＷＥＢページファイル転送応答（ヘッダ）」レスポンスに含まれているヘッダ情報を格納すると同時に（ステップＳ１０）、該ヘッダ情報として返送されてきているステータス情報を解釈して、所望のＷＥＢページへのアクセスが可能であることを判別すると、該ＷＥＢページデータが返送されてくるのを待ち合わせる動作に移行する（ステップＳ１１のＮＯ）。
【００９０】
一方、通信サイト２０のワークステーション装置ＷＳ１  ２７においては、ＵＲＬパス情報として指定されているＷＥＢページのデータが逐次読み出されて、ＨＴＴＰプロトコルに準拠した「ＷＥＢページファイル転送応答（ボディ）」レスポンスとして作成される。
ここに、該ＷＥＢページデータは、先に返信した前記「ＷＥＢページファイル転送応答（ヘッダ）」レスポンスにおいて示されている記述形式に従った構成の文書情報であり、たとえば、ＨＴＭＬ（Hyper  Text  Markup  Language）形式の文書情報から構成されている。
【００９１】
作成された「ＷＥＢページファイル転送応答（ボディ）」レスポンスは、前述した「Connect  OK」レスポンスの返送の場合と同様にして、「指定ＷＥＢページファイル転送要求」リクエストの送信元である通信サイト１０のネットワークファクシミリ装置ＮＦＡＸ１１へ返信される（図３におけるステップＰ５）。
【００９２】
ネットワークファクシミリ装置ＮＦＡＸ１１において、該「ＷＥＢページファイル転送応答（ボディ）」レスポンスを受信したことを、前述の「Connect  OK」レスポンスの場合と同様にして、ＬＡＮ通信制御プログラム１１ｂ１０の動作を介して、ＷＥＢページ制御プログラム１１ｂ４の動作により、システム制御部１１ａが、識別すると、前記「ＷＥＢページファイル転送応答（ヘッダ）」レスポンスの場合と同様に、画像蓄積装置１１ｃ内の所定の領域に、該「ＷＥＢページファイル転送応答（ボディ）」レスポンスに含まれているＷＥＢページデータ（即ち、ボディ情報）を格納する（ステップＳ１０）と共に、該ボディ情報の転送が終了したことにより、転送動作の終了と判定して（ステップＳ１１のＹＥＳ）、通信サイト２０のワークステーション装置ＷＳ１  ２７との通信セッションの解放動作に移行する。
【００９３】
即ち、ＷＥＢページ制御プログラム１１ｂ４の動作により、システム制御部１１ａは、ステップＳ８において、システムメモリ１１ｂの所定の領域に設定されている接続情報に基づいて、クローズすべき通信セッションを指定して、ＨＴＴＰプロトコルに準拠した「ＨＴＴＰセッションクローズ」リクエストを作成する。
作成された「ＨＴＴＰセッションクローズ」リクエストは、前述の「ＨＴＴＰセッションオープン」リクエストを送信する場合の動作と同様に、ＬＡＮ通信制御プログラム１１ｂ１０の動作により、システム制御部１１ａが、ＬＡＮ通信部１１ｈを駆動して、ＬＡＮ１４上に、ＴＣＰ／ＩＰプロトコルに従って、送出させる。
【００９４】
更に、前記「ＨＴＴＰセッションクローズ」リクエストは、前述の「ＨＴＴＰセッションオープン」リクエストを転送する場合の動作と同様に、ルータ装置１５を介して、インタネット５１に送出され（図３におけるステップＰ６）、インタネット５１を経由して、宛先の通信サイト２０内のルータ装置２５に届けられ、更に、ＬＡＮ２４を介して、ワークステーション装置ＷＳ１  ２７に届けられる。
【００９５】
ワークステーション装置ＷＳ１  ２７においては、ＨＴＴＰプロトコルに従って、まず、受信した前記「ＨＴＴＰセッションクローズ」リクエストにより、クローズすることが要求されている通信セッションが、正しく、論理的に解放できることを確認して、クローズ処理を行なうと共に、ＨＴＴＰプロトコルに準拠した「Close  OK」レスポンスを作成し、該「ＨＴＴＰセッションクローズ」リクエストに記述されている送信元への返信を行なう（図３におけるステップＰ７）。
【００９６】
ネットワークファクシミリ装置ＮＦＡＸ１１において、前記「Close  OK」レスポンスを受信したことを、前述の「Connect  OK」レスポンスの場合と同様にして、ＬＡＮ通信制御プログラム１１ｂ１０の動作を介して、ＷＥＢページ制御プログラム１１ｂ４の動作により、システム制御部１１ａが、識別すると、クローズ要求をした通信セッションのクローズ処理を実行させて、ワークステーション装置ＷＳ１  ２７との論理的な接続状態にあった該通信セッションを、解放させる（ステップＳ１２）。
【００９７】
次いで、前記通信セッションのインタネット５１への接続形態を識別するために、操作表示部１１ｆに設定されていた操作キーが「ルータ接続キー」であったかを、操作制御プログラム１１ｂ１の動作により、システム制御部１１ａは、システムメモリ１１ｂの格納内容に基づいて、調べる（ステップＳ１３）。
【００９８】
「ルータ接続キー」の押下ではなかった場合（ステップＳ１３のＮＯ）、公衆網６１へのダイヤルアップ接続による接続であったので、公衆網接続制御プログラム１１ｂ９の動作により、システム制御部１１ａは、網制御部１１ｊを制御して、公衆網６１を介したインタネットサービスプロバイダ装置ＩＳＰ５１ａとの接続の解放動作を行なわしめる（ステップＳ１４）。ただし、本実施例の説明は、「ルータ接続キー」の押下があった場合であり（ステップＳ１３のＹＥＳ）、かかる公衆網６１の接続解放動作は不要となる。
【００９９】
次に、ネットワークファクシミリ装置ＮＦＡＸ１１において、ＷＥＢページ制御プログラム１１ｂ４の動作により、システム制御部１１ａが、ワークステーション装置ＷＳ１  ２７から転送されてきて、画像蓄積装置１１ｃに保存格納されているＷＥＢページデータに関するヘッダ情報、及び、ボディ情報を読み出して、テキストデータ抽出プログラム１１ｂ６を起動させる。
【０１００】
テキストデータ抽出プログラム１１ｂ６の動作により、システム制御部１１ａは、ＷＥＢページデータ解析部１１ｋを駆動して、該ボディ情報としてダウンロードされてきたＷＥＢページデータ（文書情報）の記述形式を判定し、該記述形式に応じて、該ＷＥＢページデータの文書構造を解釈させる。
更に、テキストデータ抽出プログラム１１ｂ６の動作により、システム制御部１１ａは、該文書構造の解釈結果に基づいて、ＷＥＢページデータ解析部１１ｋを駆動して、該ＷＥＢページデータの中から、プロッタ１１ｅに記録印刷させることが可能なテキストデータ部分のみを抽出させて、画像蓄積装置１１ｃの所定の領域に格納させる（ステップＳ１５）。
【０１０１】
即ち、前記ＷＥＢページデータが、たとえば、ＨＴＭＬ言語という記述言語に基づいて記述されているＨＴＭＬ文書から構成されている場合においては、該ＨＴＭＬ言語仕様として規定されているタグ情報を解釈して、テキストデータか否かを識別させることにより、前記ＷＥＢページデータの中から、テキストデータ部分のみを抽出させることができる。
【０１０２】
なお、前述の実施例においては、転送されてきたヘッダ情報、及び、ボディ情報を、ＷＥＢページ制御プログラム１１ｂ４の動作に基づいて、システム制御部１１ａが、一旦、画像蓄積装置１１ｃに保存格納した後、再度、読み出して、テキストデータ抽出プログラム１１ｂ６の動作により、システム制御部１１ａが、ＷＥＢページデータ解析部１１ｋを駆動することにより、前記ボディ情報（即ち、ＷＥＢページデータ）の中に含まれているテキストデータ部分を抽出させることとしている。
【０１０３】
しかしながら、前述したごとく、ＷＥＢページデータ解析部１１ｋの機能を、更に拡充させて、かかるテキストデータの抽出動作を、次のごとき動作としても、もちろん、構わない。
即ち、ＬＡＮ１４からＬＡＮ通信部１１ｈに、あるいは、公衆網６１から網制御部１１ｊを介してモデム１１ｉに、転送データ（即ち、ヘッダ情報、及び、ボディ情報）が到達した際に、逐次、該転送データをＷＥＢページデータ解析部１１ｋに転送させる。
【０１０４】
而して、ＷＥＢページデータ解析部１１ｋにおいて、ヘッダ情報に指定されている記述形式に従って、該ヘッダ情報に続いて転送されてくるボディ情報に含まれているテキストデータ部分のみを抽出させる。更に、ＷＥＢページデータ解析部１１ｋから、抽出されたテキストデータ部分のみを、画像蓄積装置１１ｃに転送させることにより、画像蓄積装置１１ｃの所定の領域に、抽出されたテキストデータ部分のみが保存格納される。
【０１０５】
次に、前述の動作により抽出されたテキストデータ部分の書式を、ネットワークファクシミリ装置ＮＦＡＸ１１のプロッタ１１ｅへの出力が可能なファクシミリ情報（文書画データ）の形式に変換させるために、システム制御部１１ａは、テキストデータ変換プログラム１１ｂ７を起動させることにより、符号化復号化部１１ｇを駆動して、抽出されているテキストデータ部分を、ファクシミリ情報（文書画データ）に変換させ、変換結果としての該ファクシミリ情報（文書画データ）を、画像蓄積装置１１ｃの所定の領域に格納させる（ステップＳ１６）。
【０１０６】
最後に、システム制御部１１ａは、プロッタ出力プログラム１１ｂ３を起動することにより、プロッタ１１ｅを介して、変換されたファクシミリ情報（文書画データ）を、記録紙に記録印刷させる（ステップＳ１７）。
【０１０７】
かかる動作により、インタネット５１に接続されているＨＴＴＰサーバ装置、たとえば、ワークステーション装置ＷＳ１  ２７にある各種のＷＥＢページデータを、直接、ネットワークファクシミリ装置１１にダウンロードさせることが可能であり、かつ、該ネットワークファクシミリ装置１１が取り扱うことが可能な文書画形式に、自動的に、変換させることにより、プロッタ装置１１ｅ等に印刷させたり、あるいは、操作表示部１１ｆに表示させたり、更には、他のファクシミリ装置に対して転送させたり、各種の任意の処理を、何ら、他のＰＣなどの処理装置の助けを必要とせずに、実現させることができる。
【０１０８】
なお、前述の実施例においては、インタネット５１に接続されているサーバ装置が、ＨＴＴＰプロトコルに準拠したＨＴＴＰサーバ装置である場合を例示しているが、これに限るものではなく、電子メール受信プロトコルであるＰＯＰ３（Post  Office  Protocol  Version  ３）に準拠したＰＯＰ３サーバ装置であっても、あるいは、ニュース配信用プロトコルであるＮＮＴＰ（Network  News  Transfer  Protocol）に準拠したＮＮＴＰサーバ装置であっても、ネットワークファクシミリ装置ＮＦＡＸにおいて、電子メール送受信プログラムや、ニュース配信制御プログラムを用意させることにより、各サーバ装置に保存されている各種の情報を、前述の実施例に示した場合と全く同様にして、ネットワークファクシミリ装置ＮＦＡＸにおいて、取り扱うことが可能である。
【０１０９】
【発明の効果】
以上説明したように本発明によれば、最新にアクセスしたＷＥＢページに関するＵＲＬアドレスをリダイヤルバッファに記憶保持させるようにしたので、該ＷＥＢページに再度アクセスしたい場合におけるＵＲＬの再入力が不要となり、同一ＷＥＢページのＵＲＬアドレスの指定が簡素化される、という効果が得られる。
【図面の簡単な説明】
【図１】  本発明にかかるネットワークファクシミリ装置を接続したネットワーク構成の一例を示すネットワーク構成図である。
【図２】  本発明にかかるネットワークファクシミリ装置における回路構成の一例を示すブロック図である。
【図３】  インタネット上のＨＴＴＰサーバ装置にあるＷＥＢページデータをダウンロードする際のＨＴＴＰ（Hyper  Text  Transfer  Protocol）プロトコル手順の一例を示すプロトコルフローチャートである。
【図４】  本発明にかかるネットワークファクシミリ装置の動作の一例を説明するためのフローチャートである。
【図５】  本発明にかかるネットワークファクシミリ装置の動作の一例として、図４に続く残りの部分を説明するためのフローチャートである。
【図６】  本発明にかかるネットワークファクシミリ装置のユーザが、行なう操作の一例を説明するためのフローチャートである。
【符号の説明】
１０，２０，３０，４０…通信サイト、１１，２１，３１…ネットワークファクシミリ装置ＮＦＡＸ、１１ａ…システム制御部、１１ｂ…システムメモリ、１１ｂ１…操作制御プログラム、１１ｂ２…表示制御プログラム、１１ｂ３…プロッタ出力プログラム、１１ｂ４…ＷＥＢページ制御プログラム、１１ｂ５…電子メール制御プログラム、１１ｂ６…テキストデータ抽出プログラム、１１ｂ７…テキストデータ変換プログラム、１１ｂ８…スキャナ入力プログラム、１１ｂ９…公衆網接続制御プログラム、１１ｂ１０…ＬＡＮ通信制御プログラム、１１ｂ１１…リダイヤルバッファ、１１ｃ…画像蓄積装置、１１ｄ…スキャナ、１１ｅ…プロッタ、１１ｆ…操作表示部、１１ｆ１…アルファベットキー、１１ｆ２…リダイヤルキー、１１ｆ３…ワンタッチキー、１１ｆ４…短縮番号キー、１１ｆ５…ダウンロード要求キー、１１ｇ…符号化復号化部、１１ｈ…ＬＡＮ通信部、１１ｉ…モデム、１１ｊ…網制御部、１１ｋ…ＷＥＢページデータ解析部、１１ｌ…システムバス、１２，１３，２３，３２，４２…接続回線、１４，２４…ＬＡＮ、１５，２５…ルータ装置、２６…メールサーバ装置、１７，２７，２８…ワークステーション装置ＷＳ，ＷＳ１，ＷＳｎ、４１…Ｇ３／Ｇ４ファクシミリ装置ＦＡＸ、５１…インタネット、５１ａ…インタネットサービスプロバイダ装置ＩＳＰ、６１…公衆網。
【図１】
0004012683.tif 000002
【図２】
0004012683.tif 000003
【図３】
0004012683.tif 000004
【図４】
0004012683.tif 000005
【図５】
0004012683.tif 000006
【図６】
0004012683.tif 000007